(57)【要約】【課題】被詰替え容器内への液体の流入に伴う内部空気の放出が効率良く行われ、液体の溢れ出しを防止しつつ、スムーズに内容物の詰替えを行うことができる詰替え容器用栓部材を提供する。【解決手段】詰替え容器１１に固定されて、内容物の詰替えに用いられる詰替え容器用栓部材２０であり、詰替え容器１１に固定される固定部２４及び周壁に注出口を有する有天筒状の注出筒２３を備えた固定部材２１と、該注出筒２３に取り付けられて注出口２２を閉鎖する可動部材３１とからなり、可動部材３１を、被詰替え容器１６の口首部１８に押し付けることにより、可動部材３１が、注出筒２３に沿って固定部２４側に移動し注出口２２が開放される。可動部材３１は、注出口を閉鎖する筒状の注出口閉鎖部３２、及び、注出口２２から流出して被詰替え容器１６内に流入する液体の流路Ａと該容器１６内から排出される空気の流路Ｂとを分離する仕切り壁３５，３５を備えている。【選択図】図８
2014080217.tif 000002
【特許請求の範囲】
【請求項１】
詰替え容器に固定されて、内容物の詰替えに用いられる詰替え容器用栓部材であって、
詰替え容器に固定される固定部及び周壁に注出口を有する有天筒状の注出筒を備えた固定部材と、該注出筒に取り付けられて注出口を閉鎖する可動部材とからなり、
前記可動部材を、被詰替え容器の口首部に押し付けることにより、該可動部材が、前記注出筒に沿って前記固定部側に移動し前記注出口が開放されるようになされており、
前記可動部材は、注出口を閉鎖する筒状の注出口閉鎖部、及び、前記注出口から流出して前記被詰替え容器内に流入する液体の流路と該被詰替え容器内から排出される空気の流路とを分離する仕切り壁を備えている詰替え容器用栓部材。
【請求項２】
前記可動部材は、前記仕切り壁が、前記注出筒の天面部よりも上方に位置するように取り付けられる請求項１記載の詰替え容器用栓部材。
【請求項３】
前記仕切り壁は、前記被詰替え容器の口首部内に挿入された前記注出筒の周囲に、前記注出口から流出して該被詰替え容器内に流入する液体の流路と該被詰替え容器内から排出される空気の流路とを周方向に交互に形成するものである、請求項１又は２に記載の詰替え容器用栓部材。
【請求項４】
前記固定部材は、前記注出口の閉鎖時に前記可動部材の上端より上方に突出する誤開封防止部を備えている、請求項１〜３の何れか１項記載の詰替え容器用栓部材。
【請求項５】
前記注出口が、前記注出筒の周壁における相対向する部位に一対形成されており、
前記仕切り壁は、前記注出口の開放時に、該注出口の前記固定部側に位置する上部壁と、該注出口の開放時に、該注出口の左右両側に位置する一対の側部壁とを備えている請求項１〜４の何れか1項記載の詰替え容器用栓部材。
【請求項６】
前記固定部材に、前記注出口の開口方向と、前記一対の側部壁の延在方向とを揃える位置合わせ用の目印が設けられている、請求項５記載の詰替え容器用栓部材。
【請求項７】
前記注出筒は、前記可動部材を、前記注出口を閉鎖する初期位置に保持する安定保持手段を備えている、請求項１〜６の何れか１項記載の詰替え容器用栓部材。
【請求項８】
請求項１〜７の何れか１項に記載の詰替え容器用栓部材が、液状の内容物が収容された詰替え容器に、その詰替え流出口を覆うように固定されてなる内容物入り詰替え容器。
【発明の詳細な説明】
【技術分野】
【０００１】
本発明は、詰替え容器用栓部材に関し、特に、被詰替え容器に内容物を詰替えるための詰替え容器用栓部材及び内容物入り詰替え容器に関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等を収納する容器として、スタンディングパウチ等の詰替え容器が多く用いられている。詰替え容器は、収納した内容物を、蓋体にポンプ装置を備えた被詰替え容器や、注出スパウト等による注出部を備える被詰替え容器に詰替えたり補充したりすることで、高価な被詰替え容器をその都度廃棄することなく、長期間使用できるようにする。
【０００３】
また、注出スパウト等による注出部を備えない被詰替え容器に、内容物を詰替える詰替え容器として、詰替え容器の口部に装着されると共に注出口が形成された装着筒と、スライド移動可能に装着筒に支持された操作部材と、装着筒内に配設された押圧体とを有し、被詰替え容器の口部により操作部材をスライド移動させることにより、押圧体が、注出口のシール部のシール体を押圧して注出口を開放するようにした詰替え容器が提案されている（特許文献１参照）。
【先行技術文献】
【特許文献】
【０００４】
【特許文献１】特開２０１２−０１２０６１号公報
【発明の概要】
【発明が解決しようとする課題】
【０００５】
従来のスタンディングパウチは、柔軟性や可撓性に富んだ軟包材によって形成されており、詰替え作業の際に容器が変形して不安定な状態となり易い。
他方、特許文献１の詰替え容器においては、注出口が開放されたときに、詰替え容器から被詰替え容器に向かって流れる液が装着筒内の略全域を流れるため、被詰替え容器内への液体の流入に伴う内部空気の放出が充分に行われず、詰替えに時間を要したり、被詰替え容器の口部近傍に付着した液体が、被詰替え容器から排出される空気に押し戻され、容器間の隙間から漏れ出す等の不都合を生じる恐れがある。
【０００６】
本発明は、被詰替え容器内への液体の流入に伴う内部空気の放出が効率良く行われ、液体の溢れ出しを防止しつつ、スムーズに内容物の詰替えを行うことができる詰替え容器用栓部材及び内容物入り詰替え容器に関する。
【課題を解決するための手段】
【０００７】
本発明は、詰替え容器に固定されて、内容物の詰替えに用いられる詰替え容器用栓部材であって、詰替え容器に固定される固定部及び周壁に注出口を有する有天筒状の注出筒を備えた固定部材と、該注出筒に取り付けられて注出口を閉鎖する可動部材とからなり、前記可動部材を、被詰替え容器の口首部に押し付けることにより、該可動部材が、前記注出筒に沿って前記固定部側に移動し前記注出口が開放されるようになされており、前記可動部材は、注出口を閉鎖する筒状の注出口閉鎖部、及び、前記注出口から流出して前記被詰替え容器内に流入する液体の流路と該被詰替え容器内から排出される空気の流路とを分離する仕切り壁を備えている詰替え容器用栓部材を提供するものである。
【０００８】
また、本発明は、前記詰替え容器用栓部材が、液状の内容物が収容された詰替え容器に、その詰替え流出口を覆うように固定されてなる内容物入り詰替え容器を提供するものである。
【発明の効果】
【０００９】
本発明の詰替え容器用栓部材及び内容物入り詰替え容器によれば、被詰替え容器内への液体の流入に伴う内部空気の放出が効率良く行われ、液体の溢れ出しを防止しつつ、スムーズに内容物の詰替えを行うことができる。
【図面の簡単な説明】
【００１０】
【図１】本発明の一実施形態に係る詰替え容器用栓部材を取り付けた詰替え容器によって、被詰替え容器に内容物を詰替える状況を説明する略示斜視図である。
【図２】図１に示す詰替え容器用栓部材を示す斜視図であり、（ａ）は可動部材によって注出口が閉鎖された状態の斜視図、（ｂ）は注出口が開放された状態の斜視図である。
【図３】図１に示す詰替え容器用栓部材の固定部材を示す図であり、（ａ）は斜視図、（ｂ）は（ａ）のＩ−Ｉに沿った断面図、（ｃ）は（ａ）のＩＩ−ＩＩに沿った断面図である。
【図４】図１に示す詰替え容器用栓部材の可動部材を示す図であり、（ａ）は斜視図、（ｂ）は平面図、（ｃ）は（ｂ）のＩＩＩ−ＩＩＩに沿った断面図、（ｄ）は（ｂ）のＩＶ−ＩＶに沿った断面図である。
【図５】詰替え容器用栓部材を取り付けた詰替え容器の閉鎖された注出口付近を示す断面図である。
【図６】詰替え容器用栓部材を取り付けた詰替え容器を倒立状態とし、その詰替え容器用栓部材を被詰替え容器の口首部にセットした状態を示す断面図である。
【図７】詰替え容器用栓部材を取り付けた詰替え容器を押し下げて、注出口を開放させた状態を示す断面図であり、注出口の開口方向に沿う断面図である。
【図８】詰替え容器用栓部材を取り付けた詰替え容器を押し下げて、注出口を開放させた状態を示す断面図であり、注出口の開口方向に直交する方向に沿う断面図である。
【図９】本発明の他の実施形態における可動部材を示す平面図であり、図４（ｂ）相当図である。
【図１０】本発明の更に他の実施形態における可動部材を示す平面図であり、図４（ｂ）相当図である。
【発明を実施するための形態】
【００１１】
本発明の好ましい一実施形態に係る詰替え容器用栓部材２０は、図１に示すように、詰替え容器１１として例えば薄肉のボトル形状の容器の口首部１２に、これの先端の詰替え流出口１３（図５参照）を覆って取り付けられる。ここで、詰替え容器１１は、自立載置部を備える底部１４と、内容物を注出させる詰替え流出口１３を備える口首部１２と、底部１４と口首部１２との間の肉厚が例えば５０〜１５０μｍ程度の胴部１５とを含んで形成されている。詰替え容器１１は、好ましくは、口首部１２を下方に向けた倒立状態で、内部に充填収容されている液状の内容物を、詰替え流出口１３を介した空気置換によることなく、胴部１５自体を収縮変形させながらある程度まで注出させることが可能な可撓性を胴部１５が備えるように構成されている。
【００１２】
また、本実施形態では、詰替え容器１１は、図１に示すように、容器本体１７の口首部に注出スパウトを有しない被詰替え容器１６に、液状の内容物を詰替えたり補充したりするための詰替え容器となっている。より具体的には、被詰替え容器１６は、液状の内容物を詰替えたり補充したりした後、容器本体１７の上端に設けられた口首部１８に、ポンプ装置を備えた蓋体（図示せず）を螺着してポンプ付き容器として用いることができるものである。ポンプ装置は、例えば、ポンプの押圧部を手で押し下げることにより、シャンプーやリンスなどの液状の内容物を適量外部に吐出させるものであり、各種公知のものを用いることができる。注出スパウト（注出用ノズル）を備えた被詰替え容器に詰替えるための詰替え容器は、例えば特開２０１０−２３５１５２号公報や特開２０１０−２４７８９６号公報等に記載されている。
【００１３】
本実施形態の詰替え容器用栓部材２０は、注出口２２を有する注出筒２３を、被詰替え容器１６の口首部１８に挿入して、詰替え容器１１に収容された液状の内容物を、被詰替え容器１６の内部に効率良く流入させてゆく機能を備えると共に、可動部材３１によって閉鎖されていた注出口を開放させ、詰替え容器１１と被詰替え容器１６の内部とを連通させる操作をスムーズ且つ容易に行えるようにする機能を備える。
【００１４】
本実施形態の詰替え容器用栓部材２０は、図１及び図５に示すように、詰替え容器１１の口首部１２に、口首部１２の端部に開口する詰替え流出口１３を覆って取り付けられる。
詰替え容器用栓部材２０は、図２（ａ）（ｂ）に示すように、固定部材２１と可動部材３１とからなる。固定部材２１は、図５に示すように、詰替え容器１１に、その詰替え流出口１３を覆うように固定されると共に、図３に示すように、周面に注出口２２を有する有天筒状の注出筒２３を備えている。固定部材２１は、詰替え容器１１に固定するための装着スカート部２４を備えており、装着スカート部２４を、詰替え容器１１の口首部１２の外周部に螺合、嵌合、熱融着、接着剤等の任意の方法で結合させることで、詰替え容器１１に固定可能である。装着スカート部２４が、本実施形態における固定部材２１の固定部である。
【００１５】
装着スカート部２４と注出筒２３との間には、詰替え流出口１３の開口面と略平行な環状の基台部２５が形成されている。注出筒２３は、図３（ｂ）（ｃ）に示すように、その中心軸Ｃと平行な方向の一端が天面部２６によって閉鎖されている一方、周壁２７における、天面部２６の近傍に注出筒２３の内外を連通する注出口２２が形成されている。注出口２２は、注出筒２３の周壁２７における相対向する部位に一対形成されており、注出筒２３の周方向における注出口２２と注出口２２との間は、開口部が形成されていない非開口領域２８となっている。
【００１６】
また、注出筒２３における注出口２２，２２の上下それぞれには、可動部材３１の内周面との間のシール性を高めるための２本の環状凸部２９が形成されている。環状凸部２９は、注出筒２３の外面に一体的に形成され、注出筒２３の周壁２７の外表面から０．１〜１ｍｍ程度突出するように形成されている。本実施形態においては、環状凸部２９が、可動部材３１を、注出口２２を閉鎖する初期位置に保持する安定保持手段として機能する。
【００１７】
本実施形態における固定部材２１においては、図３に示すように、天面部２６に、筒状の誤開封防止部２６ａが設けられている。誤開封防止部２６ａは、天面部２６における、装着スカート部２４側とは反対側の面から突出しており、注出筒２３と共通する中心軸Ｃを有している。
誤開封防止部２６ａは、図２（ｂ）に示すように、可動部材３１が、注出口２２を閉鎖する初期位置に存在している状態において、可動部材３１の上端３１ｄより上方に突出している。そのため、例えば、液状の内容物が充填され、詰替え流出口１３が詰替え容器用栓部材２０で封鎖された状態の詰替え容器１１を、図５に示すように、詰替え流出口１３が下向きの状態（図５参照）で誤って落下させた場合においても、床や地面に誤開封防止部２６ａがぶつかることによって、可動部材３１の意図しない移動及びそれによる注出口２２の意図しない開放が防止される。
誤開封防止部２６ａは、可動部材３１の上端３１ｄからの突出量Ｔ（図５参照）が、３ｍｍ以上であることが好ましく、より好ましくは５ｍｍ以上である。
【００１８】
可動部材３１は、図４に示すように、筒状の注出口閉鎖部３２と、注出口閉鎖部３２の外周面から外方に張り出した一対の板状の上部壁３３と、注出口閉鎖部３２の上端部から上方に延出し、注出口閉鎖部３２と同一の曲率で湾曲した一対の弧状壁３４と、一対の弧状壁３４の両側それぞれに連設され且つ上部壁３３の片面から垂直に立ち上がる側部壁３５とを備えている。弧状壁３４及びその両端に連設された一対の側部壁３５，３５は、一枚の連続した複合側部壁３０を形成している。複合側部壁３０は、被詰替え容器の口首部１８に挿入された状態において、該口首部１８の直径方向と平行に延びる。
【００１９】
側部壁３５は、注出筒２３の中心軸Ｃの軸長方向の高さが、注出筒２３の周囲に、分断された液体の流路と空気の排出路とを、より確実に形成する観点から、３ｍｍ以上であることが好ましく、より好ましくは５ｍｍ以上、更に好ましくは１０ｍｍ以上であり、また、２５ｍｍ以下であることが好ましい。
【００２０】
また、可動部材３１が、注出口２２を閉鎖する初期位置に存在している状態においては、可動部材３１は、仕切り壁、特に側部壁３５が、前記注出筒の天面部２６よりも上方に位置するように取り付けられていることが、閉鎖状態から注出口２２が開放される初期段階においての液の溢れ出し防止の点から好ましい。ここでいう、上方とは、注出筒の天面部２６側を上方、固定部２４側を下方としたときの上方である。誤開封防止部２６ａが、可動部材３１の上端３１ｄより上方に突出している場合の上方も同様である。可動部材３１は、仕切り壁、特に側部壁３５の一部が、前記注出筒の天面部２６よりも上方に位置するように取り付けられていても良い。
【００２１】
可動部材３１は、図２（ａ）及び図５に示すように、注出筒２３の外側に注出口閉鎖部３２を嵌合させ、注出筒２３の注出口２２の全体を覆うように注出口閉鎖部３２を配することにより、該注出口２２を液密に閉鎖する。
図２（ｂ）に示すように、上部壁３３は、注出口２２の開放時に、注出口２２の固定部側、即ち装着スカート部２４側に位置する。他方、一対の側部壁３５は、注出口２２の開放時に、注出口２２の開口方向Ｄ１から視て、注出口２２の左右両側に位置する。従って、注出口２２の開放時には、各注出口２２の正面部に、断面直角に結合した上部壁３３と一対の側部壁３５とからなり、注出筒２３の突出方向に向かって凹状をなす液体の注出路が形成される。各注出口２２の正面部の左右両側に位置する一対の側部壁３５は、互いに平行をなしている。弧状壁３４は、筒状の注出口閉鎖部３２とともに、注出筒２３の周面に接触して、可動部材３１が注出口２２を閉鎖している初期状態を安定化させるとともに、可動部材３１が注出筒２３に沿ってスライド移動する際の安定性を向上させる。上部壁３３は、図４（ｂ）に示すように、注出口２２の開口方向Ｄ１において、一対の側部壁３５の端部よりも延出しており、その延出部に、詰替え作業時に、被詰替え容器１６の口首部１８に押し当てられる押し当て部３６が形成されている。注出口２２の開口方向Ｄ１は、注出筒の中心軸Ｃに直交する方向であって、該中心軸Ｃと注出口２２の注出筒周方向の中央部とを結ぶ方向である。
【００２２】
本実施形態における側部壁３５は、開放された注出口２２から流出して被詰替え容器１６内に流入する液体の流路Ａと該被詰替え容器内から排出される空気の流路Ｂとを分離する機能を有すると共に、口首部１８の開口部の内面側に近接又は当接して、押し当て部３５が口首部１８の開口周縁部に当接した状態が安定に維持されるようにする機能、及び注出筒２３が、被詰替え容器１６の口首部１８の内周面から離間した適正位置に挿入されるようにする位置決め手段としての機能を有している。
【００２３】
本実施形態の詰替え容器用栓部材２０は、固定部材２１と可動部材３１とを、可動部材３１の注出口閉鎖部３２が一対の注出口２２を閉鎖した状態となるように組み合わせ、その状態において、詰替え容器１１の口首部１２に取り付けられる。詰替え容器用栓部材２０における可動部材３１は、注出口２２を閉鎖する初期状態においては、可動部材３１に力を加えない限り、その閉鎖状態は安定に維持される。
そのため、例えば、液状の内容物が充填された状態の詰替え容器１１を、図５に示すように、詰替え流出口１３が下向きの倒立状態としても、液漏れは生じない。
【００２４】
このようにして得られる内容物入り詰替え容器は、本発明の内容物入り詰替え容器の好ましい一実施形態である。詰替え容器に収容する液状の内容物としては、例えば、シャンプー、リンス、コンディショナー、ボディーソープ、ハンドソープ等の香粧品や、液体洗剤、柔軟剤、漂白剤  等が挙げられる。
【００２５】
そして、詰替え容器１１から被詰替え容器１６に内容物の液体を詰替えるには、詰替え容器用栓部材２０を固定した詰替え容器１１を、図６に示すように、可動部材３１が注出口２２を閉鎖した状態のまま倒立状態として、その詰替え容器用栓部材２０を、可動部材３１の押し当て部３６が、被詰替え容器１６の口首部１８の開口部の周縁部に当たるようにセットする。そして、図７に示すように、その状態の詰替え容器１１を手で押し下げる。これにより、可動部材３１が、注出筒２３に沿って、注出口２２を閉鎖していた位置から基台部２５に突き当たるまで移動し、それに伴い注出筒２３の注出口２２が開放される。
矢印Ａに示すように、注出口２２が開放されると、注出口２２から液体が排出され、その液は、注出口２２の正面部の左右両側に位置する側部壁３５，３５間を通って、被詰替え容器１６の内部へと注入される。
【００２６】
他方、注出筒２３の周方向における、注出口２２が開口する位置から９０度回転した位置においては、図８に示すように、複合側部壁３０と被詰替え容器１６の口首部１８の内周面との間を通って、被詰替え容器１６内の空気が、矢印Ｂに示す流路で外部に効率よく放出される。
本実施形態においては、このように、仕切り壁、特に側部壁３５によって、被詰替え容器の口首部１８内に、注出口２２から流出して被詰替え容器内に流入する液体の流路Ａと該被詰替え容器内から排出される空気の流路Ｂとが分離された状態に形成されるため、被詰替え容器内への液体の流入に伴う内部空気の放出が効率良く行われる。そのため、液体の注入がスムーズに進行し、詰替え作業中に、被詰替え容器の開口部から液体があふれ出すことも防止される。また、液体の注入がスムーズに進行するため、詰替え作業を短時間で終わらすこともできる。液体の溢れだし防止や、液空気置換の一層の促進の点等から、仕切り壁は、本実施形態の側部壁３５，３５のように、被詰替え容器の口首部１８内に挿入された注出筒２３の周囲に、開放された注出口２２から流出して被詰替え容器内に流入する液体の流路Ａと該被詰替え容器内から排出される空気の流路Ｂとを周方向に交互に形成するものが好ましい。
【００２７】
また、本実施形態の詰替え容器用栓部材２０によれば、被詰替え容器１６の口首部１８に押し付けるだけで、注出口２２を開放させることができるため、詰替え作業を、一層、容易且つスムーズに行うことができる。
【００２８】
更に、本実施形態の詰替え容器用栓部材２０によれば、詰替え容器１１に固定した状態で内容物の詰替えを行った後に、可動部材３１と固定部材２１とが分離した状態とはならない。そのため、詰替え容器用栓部材２０と詰替え容器１１とを一体として廃棄すれば良いので、廃棄も容易である。
【００２９】
また、本実施形態の詰替え容器用栓部材２０においては、固定部材２１の装着スカート部２４の周方向における相対向する位置に、注出口２２の開口方向Ｄ１と、一対の側部壁の延在方向Ｄ２とを平行に揃える位置合わせ用の目印となる突起４１が設けられている。このような目印を設けることで、固定部材２１と可動部材３１とを、開放された注出口２２の正面の左右両側に一対の側部壁３５，３５が位置するように組み合わせることが容易となる。可動部材３１の固定部材２１への取り付けは、人の手で行っても良いし、自動装置等で行っても良い。
【００３０】
また、本実施形態においては、詰替え容器１１は、例えば、ポリプロピレン、ポリエチレン、ポリエチレンテレフタレート等の合成樹脂を用いた延伸ブロー成形によって形成されたものである。また、詰替え容器１１は、胴部１５の上方に連続して詰替え容器１１の上端部分を構成する肩部１９を備えている。肩部１９の上端中央部分から上方に突出して、円筒形状の口首部１２が一体として設けられている。詰替え容器１１の口首部１２は、厚肉に形成されることで、手の力では変形させることが困難な程度の保形剛性を備えており、口首部１２の端部が、詰替え流出口１３として開口している。
【００３１】
詰替え容器用栓部材２０は、固定部材２１及び可動部材３１の何れも合成樹脂製であることが好ましく、例えばポリプロピレン、ポリエチレン等の合成樹脂を用いた金型成形品であることが好ましい。固定部材２１及び可動部材３１は、それぞれ、射出成形等により別々に形成した成形品を熱融着、接着等の公知の方法で一体化してなるものであっても良い。
【００３２】
なお、本発明は上記実施形態に限定されることなく種々の変更が可能である。
例えば、上記実施形態における可動部材３１の上部壁３３及び側部壁３５の片面には、凹凸がストライプ模様状に形成されていたが、そのような凹凸は無くても良い。
また、一枚の連続した複合側部壁３０を構成する一対の側部壁３５，３５は、弧状壁３４を介することなく連続していても良いし、他の形状の連結壁を間に挟んで複合側部壁を形成していてもよい。
【００３３】
また、可動部材は、図４（ｂ）に示すように、注出口２２の開口方向Ｄ１に長い形状を有するものに限られず、例えば、図９に示す可動部材３１Ａのように、平面視して円形のものであっても良い。図９に示す可動部材３１Ａは、弧状壁３４及びその両端に連設された一対の側部壁３５，３５からなる複合側部壁３０それぞれの外側に、通気孔３７ａを有する平板部３７を備えている。また、可動部材は、図１０に示す可動部材３１Ｂのように、押し当て部３６の外側に、被詰替え容器１６の口首部に押し当てたときに、該口首部の外周部と係合又は接触して、可動部材の口首部に対する装着状態を安定化させる係合部３８を備えていてもよい。図９に示す可動部材３１Ａは、上部壁３３及び側部壁３５に模様状の凹凸を有しない点、並びに通気孔３７ａを有する平板部３７を備える点を除いて、上述した可動部材３１と同様の構成を有している。
【００３４】
また、誤開封防止部は、円筒状のものに限られず、角筒状であっても良く、更に、中実の円柱状、中空又は中実の錐体状若しくは円錐台状等であっても良い。また、上部壁は、平板状に限られず、注出口２２の開口方向Ｄ１に直交する断面形状が、装着スカート部側（固定部側）に向かって凸の円弧状等であっても良い。また、注出口の開口方向Ｄ１と、一対の側部壁の延在方向Ｄ２とを揃える位置合わせ用の目印として、突起４１に代えて溝や、各種のセンサーにより検知可能なドクや印刷部等を設けてもよい。位置合わせ用の突起の形状は、特に制限されず、例えば、突出方向から視た形状が円形状の突起を設けてもよい。
【００３５】
また、注出筒は、中心軸Ｃに直交する断面の形状が円形に限定されず、当該断面形状が、正方形、長方形、三角形、楕円形等であっても良い。
【００３６】
図４の可動部材の一対の側部壁は必ずしも平行に形成される必要はなく、被詰め替え容器の口首部に係り、液体の流路と空気の流路を分断できればよい。
【００３７】
注出筒の注出口の数は必ずしも２箇所である必要はなく、１箇所であったり、２箇所又は３箇所以上であってもよく、注出口の数が２箇所の場合においても、それらの位置は、相対向する位置でなくても良い。２箇所以上の注出口が形成される場合は、液体の流路と空気の流路の分断に必要な分、可動部材に側部壁が形成される。
【００３８】
また、詰替え容器用栓部材が取り付けられる詰替え容器は、薄肉のボトル形状の容器である必要は必ずしもなく、その他の種々の詰替え容器に、本発明の詰替え容器用栓部材を取り付けて用いることができる。例えば、スタンディングパウチに合成樹脂の射出成形品からなる部材を取り付けて形成した詰替え流出口を覆って詰替え容器用栓部材２０’を取り付けて用いることもできる。
【符号の説明】
【００３９】
１１  詰替え容器
１２  口首部
１３  流出口
１４  底部
１５  胴部
１６  被詰替え容器
１７  容器本体
１８  口首部
１９  肩部
２０  容器用栓部材
２１  固定部材
２２  注出口
２３  注出筒
２４  装着スカート部（固定部）
２５  基台部
２６  天面部
２６ａ  誤開封防止部
２７  周壁
２８  非開口領域
２９  環状凸部（安定保持手段）
３０  複合側部壁
３１  可動部材
３１ｄ  可動部材の上端部
３２  注出口閉鎖部
３３  上壁部（仕切り壁）
３４  弧状壁
３５  側部壁（仕切り壁）
３６  押し当て部
４１  位置合わせ用の目印
Ａ  注出口から流出して被詰替え容器内に流入する液体の流路
Ｂ  被詰替え容器内から排出される空気の流路
【図１】
2014080217.tif 000003
【図２】
2014080217.tif 000004
【図３】
2014080217.tif 000005
【図４】
2014080217.tif 000006
【図５】
2014080217.tif 000007
【図６】
2014080217.tif 000008
【図７】
2014080217.tif 000009
【図８】
2014080217.tif 000010
【図９】
2014080217.tif 000011
【図１０】
2014080217.tif 000012